【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
複数のシート媒体が積層された状態で投入可能なシート投入部と、
このシート投入部に投入されたシート媒体を所定方向に搬送する搬送機構と、
この搬送機構と前記シート投入部との間に配置され、前記シート投入部に投入されたシート媒体を前記搬送機構に向けて送り出す送りローラと、この送りローラの外周面と接しながら上記送りローラが回転される方向と同方向および逆方向に回転可能な分離ローラと、この分離ローラに、上記送りローラとの間にシート媒体が存在しない場合、または１枚のみのシート媒体が存在する場合、上記送りローラの回転に依存して、上記送りローラと接する位置において上記送りローラが回転される方向と同方向に回転し、上記送りローラとの間に２枚以上のシート媒体が存在する場合には、逆方向に回転する所定のトルクを印加するモータと、を含む分離機構と、
を有することを特徴とするシート媒体分離装置。
【請求項２】
上記モータは、定電流電源装置により上記分離ローラを一定のトルクで回転させることを特徴とする請求項１記載のシート媒体分離装置。
【請求項３】
上記モータは、上記送りローラの回転に依存して上記送りローラと接する位置において上記送りローラが回転される方向と逆方向に上記分離ローラが回転されて生じる電力を利用して上記送りローラと上記分離ローラとの間に搬送されるシート媒体の移動を停止させることを特徴とする請求項１記載のシート媒体分離装置。
【請求項４】
上記モータは、上記送りローラの回転に依存して上記送りローラと接する位置において上記送りローラが回転される方向と同方向に上記分離ローラが回転されて生じる電力に基づいて、定電流電源装置による駆動の開始および停止が制御されることを特徴とする請求項１記載のシート媒体分離装置。
【請求項５】
投入口に投入されたシート媒体を一時的に保持する保持手段と、
この保持手段と一体的に構成され、前記保持手段に投入された複数枚のシート媒体を１枚ずつに分離する分離手段と、
この分離手段により分離されたシート媒体を搬送する搬送手段と、
この搬送手段により搬送されるシート媒体から磁気情報を読み取って、所定の規則に基づいて処理し、通路の開放あるいはシート媒体の料金の不足や有効期間の終了等を報知する改札処理手段と、を備え、
上記分離手段は、
複数のシート媒体が積層された状態で投入可能なシート投入部と、
このシート投入部に投入されたシート媒体を所定方向に搬送する搬送機構と、
この搬送機構と前記シート投入部との間に配置され、前記シート投入部に投入されたシート媒体を前記搬送機構に向けて送り出す送りローラと、この送りローラの外周面と接しながら上記送りローラが回転される方向と同方向および逆方向に回転可能な分離ローラと、この分離ローラに、上記送りローラとの間にシート媒体が存在しない場合、または１枚のみのシート媒体が存在する場合、上記送りローラの回転に依存して、上記送りローラと接する位置において上記送りローラが回転される方向と同方向に回転し、上記送りローラとの間に２枚以上のシート媒体が存在する場合には、逆方向に回転する所定のトルクを印加するモータと、を含む分離機構と、
を有することを特徴とする自動改札装置。
【手続補正２】
【補正対象書類名】明細書
【補正対象項目名】０００１
【補正方法】変更
【補正の内容】
【０００１】
【発明の属する技術分野】
この発明は、シート処理装置に適用されるシート媒体分離装置、および、交通機関等において乗車券等のシート媒体を１枚ずつ分離可能なシート媒体分離装置を有する自動改札装置に関する。
【手続補正３】
【補正対象書類名】明細書
【補正対象項目名】０００７
【補正方法】変更
【補正の内容】
【０００７】
また、例えば自動改札装置においては、シート媒体が移動される速度すなわち搬送速度が高速となるから、トルクリミッタの耐久性が不足してメインテナンスもしくはトルクリミッタの交換の頻度が増大する問題がある。
この発明の目的は、トルクリミッタを用いることなく複数枚のシート媒体を高速度で分離可能なシート媒体分離装置および自動改札装置を提供することにある。
【手続補正４】
【補正対象書類名】明細書
【補正対象項目名】０００８
【補正方法】変更
【補正の内容】
【０００８】
【課題を解決するための手段】
この発明は、上記問題点に基づきなされたもので、複数のシート媒体が積層された状態で投入可能なシート投入部と、このシート投入部に投入されたシート媒体を所定方向に搬送する搬送機構と、この搬送機構と前記シート投入部との間に配置され、前記シート投入部に投入されたシート媒体を前記搬送機構に向けて送り出す送りローラと、この送りローラの外周面と接しながら上記送りローラが回転される方向と同方向および逆方向に回転可能な分離ローラと、この分離ローラに、上記送りローラとの間にシート媒体が存在しない場合、または１枚のみのシート媒体が存在する場合、上記送りローラの回転に依存して、上記送りローラと接する位置において上記送りローラが回転される方向と同方向に回転し、上記送りローラとの間に２枚以上のシート媒体が存在する場合には、逆方向に回転する所定のトルクを印加するモータと、を含む分離機構と、を有することを特徴とするシート媒体分離装置を提供するものである。
【手続補正５】
【補正対象書類名】明細書
【補正対象項目名】０００９
【補正方法】変更
【補正の内容】
【０００９】
また、この発明は、投入口に投入されたシート媒体を一時的に保持する保持手段と、
この保持手段と一体的に構成され、前記保持手段に投入された複数枚のシート媒体を１枚ずつに分離する分離手段と、この分離手段により分離されたシート媒体を搬送する搬送手段と、この搬送手段により搬送されるシート媒体から磁気情報を読み取って、所定の規則に基づいて処理し、通路の開放あるいはシート媒体の料金の不足や有効期間の終了等を報知する改札処理手段と、を備え、
上記分離手段は、複数のシート媒体が積層された状態で投入可能なシート投入部と、このシート投入部に投入されたシート媒体を所定方向に搬送する搬送機構と、この搬送機構と前記シート投入部との間に配置され、前記シート投入部に投入されたシート媒体を前記搬送機構に向けて送り出す送りローラと、この送りローラの外周面と接しながら上記送りローラが回転される方向と同方向および逆方向に回転可能な分離ローラと、この分離ローラに、上記送りローラとの間にシート媒体が存在しない場合、または１枚のみのシート媒体が存在する場合、上記送りローラの回転に依存して、上記送りローラと接する位置において上記送りローラが回転される方向と同方向に回転し、上記送りローラとの間に２枚以上のシート媒体が存在する場合には、逆方向に回転する所定のトルクを印加するモータと、を含む分離機構と、を有することを特徴とする自動改札装置を提供するものである。
【手続補正６】
【補正対象書類名】明細書
【補正対象項目名】００１０
【補正方法】削除
【補正の内容】
【手続補正７】
【補正対象書類名】明細書
【補正対象項目名】００３１
【補正方法】変更
【補正の内容】
【００３１】
なお、乗車券媒体の搬送方向に回転している分離ローラ３０ｂは、この分離ローラ３０ｂに直結されたモータ３０ｃにより、送りローラ３０ａが回転される方向と同一の方向（外周の回転方向は逆向き）の矢印Ａの方向に回転される。すなわち、分離ローラ３０ｂには、送りローラ３０ａと接する位置で逆向きとなるトルクが与えられている。また、モータ３０ｃによって分離ローラ３０ｂに与えられるトルクは、送りローラ３０ａとの間にシート状のカード媒体が存在しない場合に、分離ローラ３０ｂとモータ３０ｃが送りローラ３０ａの回転に依存して、逆向きの矢印Ｂ方向に回転するよう、所定の大きさに設定される。
【手続補正８】
【補正対象書類名】明細書
【補正対象項目名】００３２
【補正方法】変更
【補正の内容】
【００３２】
この状態で、投入口１２に１枚のカード媒体が投入されると、カード媒体は、送りローラ３０ａからの搬送力により、主搬送路３２に向けて搬送される。このとき、分離ローラ３０ｂとモータ３０ｃは、カード媒体との間の摩擦力により、軸の回転が逆となる向き（矢印Ｂ方向）、すなわち送りローラ３０ａと接する位置での外周の回転が等しくなる向きに、回転される。
【手続補正９】
【補正対象書類名】明細書
【補正対象項目名】００３３
【補正方法】変更
【補正の内容】
【００３３】
これに対して、投入口１２に投入されたカード媒体が２枚以上で、少なくとも２枚のカード媒体が送りローラ３０ａと分離ローラ３０ｂとの間に重なり合った状態で搬送される（図４（ａ））と、カード媒体相互の間の摩擦力とカード媒体と各ローラとの間の摩擦力の差に起因して送りローラ３０ａに接しているカード媒体と分離ローラ３０ｂに接しているカード媒体との間すなわちシート状のカード媒体相互間で滑りが生じるため、分離ローラ３０ｂは、モータ３０ｃにより回転される方向（矢印Ａ方向）に回転されるか、送りローラ３０ａにより提供される逆向きのトルクによりモータ３０ｃの回転方向と逆向き（矢印Ｂ方向）に回転される速度が低下される（図４（ｂ））。従って、送りローラ３０ａと接しているカード媒体のみが主搬送路３２の方向に向けて搬送され、残りのカード媒体は、（分離ローラ３０ｂにより）投入口１２側に押し戻されるか、その位置で停止される。
【手続補正１０】
【補正対象書類名】明細書
【補正対象項目名】００４０
【補正方法】変更
【補正の内容】
【００４０】
図７は、図３に示した分離機構３０の分離ローラ３０ｂの回転数を制御可能な逆回転制御回路の例を説明する概略図である。
図７に示すように、分離機構３０の分離ローラ３０ｂを回転させるモータ３０ｃに、抵抗素子５４を接続して送りローラ３０ａと接することにより回転されるモータ３０ｃをあたかも発電器のように作用させ、モータ３０ｃから発生される電力を、抵抗素子５４により消費することで、分離ローラ３０ｂの回転を抑えることができる。この構成によれば、図５に示したモータ駆動回路の例に比較して、分離機構３０に要求される部品コストを低減できる。なお、図７に示す例では、モータ３０ｃすなわち分離ローラ３０ｂの回転を逆転することはできないことから、分離機構３０に、２枚以上のカード媒体が搬送された場合に、そのカード媒体を分離するために必要となる時間は、図５に示した例に比較して僅かではあるが増大される。
【手続補正１１】
【補正対象書類名】明細書
【補正対象項目名】００４１
【補正方法】変更
【補正の内容】
【００４１】
図８は、図３に示した分離機構３０における分離速度を向上可能な、駆動回路の一例を示す概略図である。
図８に示されるように、分離ローラ３０ｂを所定速度で回転するモータ３０ｃは、第１のスイッチング素子６０と抵抗素子６２が直列に接続されたループと、第２のスイッチング素子６４とパルス状の電流を提供可能な定電流電源回路６６からなるループと、比較器６８による基準電圧ｒｅｆとの比較結果に応じて、第１のスイッチング素子６０、第２のスイッチング素子６４および定電流電源回路６６を動作させる制御ループからなる駆動回路により、所定の速度および回転方向で駆動される。
【手続補正１２】
【補正対象書類名】明細書
【補正対象項目名】００４４
【補正方法】変更
【補正の内容】
【００４４】
同時に、第２のスイッチング素子６４がオン（通電）に切り替えられ、定電流電源回路６６から、パルス状の所定の大きさのモータ駆動電流がモータ３０ｃに供給される。
【手続補正１３】
【補正対象書類名】明細書
【補正対象項目名】００４５
【補正方法】変更
【補正の内容】
【００４５】
これにより、モータ３０ｃが逆転（本来回転される方向に回転）されて、分離ローラ３０ｂにより、重なり合って搬送されたカード媒体のうちの送りローラ３０ａと接していないカード媒体が投入口１２側に向けて押し戻される。なお、定電流電源回路６６からモータ３０ｃに供給されるモータ駆動電流は、パルス状であるから、モータ３０ｃは、断続的に本来回転される方向に回転され、送りローラ３０ａと接していないカード媒体が投入口１２側に向けて押し戻されて、両ローラ間にカード媒体が１枚のみとなった時点でモータ３０ｃへのモータ駆動電流の供給が一時的に停止され、送りローラ３０ａと接していないカード媒体が両ローラ間に搬送されると、再び定電流電源回路６６からモータ３０ｃに供給されるモータ駆動電流によりモータ３０ｃが本来回転される方向に回転される。
【手続補正１４】
【補正対象書類名】明細書
【補正対象項目名】００５７
【補正方法】変更
【補正の内容】
【００５７】
【発明の効果】
以上説明したように、この発明によれば、トルクリミッタを用いることなく複数枚のシート媒体を高速度で分離可能なシート媒体分離装置およびそれを用いた自動改札装置を提供することができる。
【手続補正１５】
【補正対象書類名】図面
【補正対象項目名】図５
【補正方法】変更
【補正の内容】
【図５】
2000044076.tif 000001
【手続補正１６】
【補正対象書類名】図面
【補正対象項目名】図７
【補正方法】変更
【補正の内容】
【図７】
2000044076.tif 000002
【手続補正１７】
【補正対象書類名】図面
【補正対象項目名】図８
【補正方法】変更
【補正の内容】
【図８】
2000044076.tif 000003